【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
生体被験者における体液レベルに少なくとも一部関係する指標を生成するためのシステムであって、前記被験者に対して実行される少なくとも1つのインピーダンス測定に応答して、
a)前記少なくとも1つのインピーダンス測定の結果を少なくとも一部使用してパラメータ値を決定し、
b)前記パラメータ値が被験者標準の意味のある変化を示すかどうかを決定するための評価を実行し、前記被験者標準が複数の以前のインピーダンス測定の結果に基づき、
c)
i)体液レベルを示す指標を生成すること、および
ii)前記被験者標準を選択的に更新すること
のうちの少なくとも1つを行うために前記評価の結果を使用する、
1つまたは複数の処理デバイスを含む、システム。
【請求項２】
前記被験者標準が、
a)被験者標準値、および
b)被験者標準範囲
のうちの少なくとも1つである、請求項1に記載のシステム。
【請求項３】
前記1つまたは複数の処理デバイスが、前記パラメータ値と前記被験者標準との関係を具現化する計算モデルを使用して前記評価を実行し、前記計算モデルが、1人または複数の基準被験者について測定された基準パラメータ値および被験者標準に機械学習技法を適用することによって得られ、前記1つまたは複数の処理デバイスが、
a)
i)
(1)測定されたインピーダンスを示すインピーダンス値、
(2)少なくとも1つのインピーダンス値から導かれるインピーダンスパラメータ値、ならびに、
(3)
(a)少なくとも1つのインピーダンス値、および
(b)少なくとも1つのインピーダンスパラメータ値
のうちの少なくとも1つから導かれる体状態値
のうちの少なくとも1つを含む前記パラメータ値と、
ii)
(1)心臓パラメータ値、
(2)呼吸パラメータ値、
(3)血中カリウムレベル、
(4)体温、
(5)組織温度、
(6)血圧、
(7)呼吸数、
(8)心拍数、および
(9)血中酸素レベル
のうちの少なくとも1つを示すバイタルサイン指標と、
iii)
(1)運動への参加を示す運動指標、
(2)時刻、
(3)衣服の状態、
(4)食物または飲料の消費、
(5)体重、
のうちの少なくとも1つを含む測定属性と、
iv)1つまたは複数の症状の詳細と、
v)前記パラメータ値が、複数の以前のインピーダンス測定の結果に少なくとも部分的に基づく被験者標準範囲の外側にあるかどうかと、
vi)定められた期間において被験者標準範囲の外側にあるパラメータ値の数と、
vii)パラメータ値の変化と、
viii)パラメータ値の傾向と、および
ix)パラメータ値の変化の大きさと
のうちの少なくとも1つを示す少なくとも1つの尺度を決定し、
b)前記少なくとも1つの尺度を前記計算モデルに適用する
請求項1または2に記載のシステム。
【請求項４】
前記1つまたは複数の処理デバイスが、
a)前記パラメータ値を、複数の以前のインピーダンス測定の結果に少なくとも部分的に基づく被験者標準範囲と比較し、
b)前記比較の結果に従って前記パラメータ値が意味のある変化を示すかどうかを決定する
ことによって、前記評価を実行する、請求項1から3のいずれか一項に記載のシステム。
【請求項５】
前記1つまたは複数の処理デバイスが、
a)前記パラメータ値が、複数の以前のインピーダンス測定の結果に少なくとも部分的に基づく被験者標準範囲の外側にあるかどうかを決定し、
b)前記決定の結果に従って前記被験者標準範囲の外側にあるパラメータ値の数を示すカウントを更新し、前記カウントが、
i)前記被験者標準範囲の外側にある連続するパラメータ値の数であって、前記パラメータ値が前記被験者標準範囲の内側にある場合、前記1つまたは複数の処理デバイスが前記カウントをリセットする、パラメータ値の数、および、
ii)定められた数のインピーダンス測定結果のうちのどれだけが前記被験者標準範囲の外側にあるか
のうちの少なくとも1つを示し、
c)前記カウントが閾値を超えるかどうかを決定し、
d)前記カウントが閾値を超えるかどうかに基づいて、
i)前記パラメータ値が被験者標準の意味のある変化を示すかどうかを決定し、
ii)前記指標を生成し、
iii)前記被験者標準範囲を選択的に更新する
ことによって、前記評価を実行する、請求項1から4のいずれか一項に記載のシステム。
【請求項６】
a)前記指標が、
i)前記パラメータ値、
ii)被験者標準値、
iii)被験者標準範囲、
iv)被験者標準値から導かれる被験者標準パラメータ値、
v)前記パラメータ値が被験者標準値より大きいか小さいか、
vi)前記パラメータ値が被験者標準パラメータ値より大きいか小さいか、
vii)前記パラメータ値が前記被験者標準範囲の外側にあるかどうか、
viii)前記パラメータ値が前記被験者標準範囲より大きいか小さいか、
ix)前記パラメータ値と被験者標準値との差の大きさ、
x)前記パラメータ値と被験者標準パラメータ値との差の大きさ、
xi)パラメータ値の変化、
xii)パラメータ値の変化率、および
xiii)パラメータ値の傾向
のうちの少なくとも1つを示すことと、
b)前記パラメータ値が被験者標準の意味のある変化を示さない場合、前記指標が、
i)被験者標準値、
ii)前記被験者標準値からの意味のある変化がないこと、および、
iii)前記被験者標準値に対する相対的な前記パラメータ値の変化の向きを示す傾向
のうちの少なくとも1つを示すことと、
c)前記パラメータ値が被験者標準の意味のある変化を示す場合、前記指標が、
i)前記パラメータ値、および
ii)更新された被験者標準値
のうちの少なくとも1つを示すことと
のうちの少なくとも1つである、請求項1から5のいずれか一項に記載のシステム。
【請求項７】
前記パラメータ値が、
a)測定されたインピーダンスを示すインピーダンス値、
b)少なくとも1つのインピーダンス値から導かれたインピーダンスパラメータ値、ならびに、
c)
i)少なくとも1つのインピーダンス値、および
ii)少なくとも1つのインピーダンスパラメータ値
のうちの少なくとも1つから導かれる体状態値
のうちの少なくとも1つである、請求項1から6のいずれか一項に記載のシステム。
【請求項８】
前記1つまたは複数の処理デバイスが、被験者標準値に基づく被験者標準範囲を使用して前記評価を実行し、
前記被験者標準範囲が、
a)被験者標準体液レベル範囲、
b)被験者標準インピーダンス値範囲、
c)被験者標準パラメータ値範囲、および
d)被験者標準体状態値範囲
のうちの少なくとも1つを含む、請求項1から7のいずれか一項に記載のシステム。
【請求項９】
前記1つまたは複数の処理デバイスが、
a)複数のインピーダンス測定結果から得られた複数のパラメータ値のうちの選択されたものである複数のパラメータ値を決定し、
b)前記複数のパラメータ値を使用して、
i)被験者標準値、
ii)被験者標準範囲、および
iii)体状態値
のうちの少なくとも1つを計算する、請求項1から8のいずれか一項に記載のシステム。
【請求項１０】
前記1つまたは複数の処理デバイスが、
a)
i)複数のインピーダンスパラメータ値の平均、
ii)複数のパラメータ値の平均、および
iii)複数の体状態値の平均
のうちの少なくとも1つを使用して、被験者標準値を計算することと、
b)
i)
(1)複数のインピーダンス測定結果、
(2)複数のパラメータ値、および
(3)複数の体状態値
のうちの少なくとも1つの広がり、ならびに、
ii)被験者標準値からの所定の範囲
のうちの少なくとも1つを使用して、前記被験者標準範囲を計算することと、
c)
i)1つまたは複数の症状の詳細、
ii)1つまたは複数のバイタルサインパラメータ値、および
iii)1つまたは複数の被験者属性
のうちの少なくとも1つを考慮して、前記被験者標準範囲を計算することと、
のうちの少なくとも1つを行う、請求項1から9のいずれか一項に記載のシステム。
【請求項１１】
前記1つまたは複数の処理デバイスが、
a)前記パラメータ値が第1の被験者標準範囲の外側にあるかどうかを評価し、
b)前記第1の被験者標準範囲の外側にあるパラメータ値の数を示す第1のカウントを選択的に更新し、
c)前記第1のカウントが第1の閾値を超えるかどうかを決定し、
d)前記決定の結果に基づいて前記指標を表示し、
e)前記パラメータ値が第2の被験者標準範囲の外側にあるかどうかを評価し、
f)前記第2の被験者標準範囲の外側にあるパラメータ値の数を示す第2のカウントを選択的に更新し、
g)前記第2のカウントが第2の閾値を超えるかどうかを決定し、
h)前記決定の結果に基づいて活動を選択的に実行し、前記活動が、
i)前記被験者標準範囲を更新すること、
ii)被験者標準値を更新すること、および
iii)通知を生成することのうちの少なくとも1つを含む、
請求項1から10のいずれか一項に記載のシステム。
【請求項１２】
前記1つまたは複数の処理デバイスが、定められた測定基準を満たすインピーダンス測定結果を使用して、
a)パラメータ値、
b)被験者標準値、および
c)被験者標準範囲
のうちの少なくとも1つを計算する、請求項1から11のいずれか一項に記載のシステム。
【請求項１３】
前記1つまたは複数の処理デバイスが、
a)測定属性を決定し、前記測定属性が
i)運動への参加を示す運動指標、
ii)時刻、
iii)衣服の状態、
iv)食物または飲料の消費、
v)体重、
vi)バイタルサイン指標、および
vii)1つまたは複数の症状の詳細のうちの少なくとも1つを含み、
b)前記測定属性を定められた測定基準と比較して、
i)パラメータ値、
ii)被験者標準値、および
iii)被験者標準範囲
のうちの少なくとも1つを計算する際にあるインピーダンス測定結果が使用されるべきであるかどうかを決定する、請求項1から12のいずれか一項に記載のシステム。
【請求項１４】
前記1つまたは複数の処理デバイスが、
a)複数のパラメータ値を使用して少なくとも1つのパラメータ値の変化を決定し、
b)前記パラメータ値の変化を選択的に使用して、
i)パラメータ値の変化の向き、
ii)パラメータ値の変化率、および
iii)パラメータ値の変化の大きさ
のうちの少なくとも1つを示す、パラメータ値の傾向を決定し、
c)前記パラメータ値の傾向を使用して、
i)
(1)今後のパラメータ値、
(2)今後の被験者標準値、
(3)今後の被験者標準範囲、および
(4)目標に到達するのに必要な時間
のうちの少なくとも1つを予測することと、
ii)指標を生成することと
のうちの少なくとも1つを行う、請求項1から13のいずれか一項に記載のシステム。
【請求項１５】
インピーダンス測定を実行し、通信ネットワークを介して少なくとも1つの測定されたインピーダンスの指示を前記1つまたは複数の処理デバイスに提供する、測定システムを含み、
前記測定システムが、
a)
i)ユーザに駆動信号を印加するために駆動電極に電気的に接続された少なくとも1つの信号発生器と、
ii)前記ユーザにおける応答信号を測定するために検知電極に電気的に接続された少なくとも1つのセンサと、
iii)
(1)前記少なくとも1つの信号発生器を制御すること、
(2)前記少なくとも1つのセンサから測定された応答信号の指示を受信すること、および
(3)少なくとも1つの測定されたインピーダンス値を示す測定データを生成すること
を少なくとも一部行う、測定デバイスプロセッサと
を含む、測定デバイスと、
b)前記測定デバイスと通信しているクライアントデバイスとを含み、前記クライアントデバイスが、
i)前記被験者に対して実行された少なくとも1つのインピーダンス測定結果を示す測定データを受信し、
ii)通信ネットワークを介して被験者データを前記1つまたは複数の処理デバイスに提供し、前記被験者データが、
(1)前記ユーザと関連付けられるユーザ識別子、
(2)前記測定データ、
(3)1つまたは複数の測定されたインピーダンス値、
(4)1つまたは複数のパラメータ値、
(5)1つまたは複数のバイタルサイン指標、および
(6)1つまたは複数の測定属性
のうちの少なくとも1つを示す、請求項1から14のいずれか一項に記載のシステム。
【請求項１６】
生体被験者における体液レベルに少なくとも一部関係する指標を生成するための方法であって、1つまたは複数の処理デバイスにおいて、前記被験者に対して実行された少なくとも1つのインピーダンス測定に応答して、
a)前記少なくとも1つのインピーダンス測定の結果を少なくとも一部使用してパラメータ値を決定するステップと、
b)前記パラメータ値が、複数の以前のインピーダンス測定の結果に基づく被験者標準の意味のある変化を示すどうかを決定するために評価を実行するステップと、
c)
i)体液レベルを示す指標を生成すること、および
ii)前記被験者標準を選択的に更新すること
のうちの少なくとも1つを行うために、前記評価の結果を使用するステップとを含む、方法。